(57)【要約】【課題】ＣＤ−Ｒなどのメディアに対し記録不良などの不具合が生じることなく、メディアに高品質な記録を光ピックアップ装置に実行させる。【解決手段】レーザ光を出射する発光素子２０，１２０と、発光素子２０，１２０から出射されるレーザ光の状態を監視して発光素子２０，１２０の制御にフィードバックをかけるための受光素子２４０と、発光素子２０，１２０から出射されるレーザ光の一部を受光素子２４０に照射させるレフレクトミラー３００とを備える光ピックアップ装置１に関する。レフレクトミラー３００内に光の内部反射が生じることで、受光素子２４０が誤動作することを防ぐ粗面部３０３が、レフレクトミラー３００の表面３０２に設けられている。これにより、レフレクトミラー３００内に光の内部反射が生じて光の干渉が発生し、これに伴って受光素子２４０が誤動作し、光ピックアップ装置１が誤動作するということを回避できる。【選択図】図１
2010262737.tif 000002
【特許請求の範囲】
【請求項１】
レーザ光を出射する発光素子と、
該発光素子から出射される該レーザ光の状態を監視して該発光素子の制御にフィードバックをかけるための受光素子と、
該発光素子から出射される該レーザ光の一部を該受光素子に照射させるレフレクトミラーと
を備える光ピックアップ装置において、
前記レフレクトミラー内に光の内部反射が生じることで、前記受光素子が誤動作することを防ぐ粗面部が、該レフレクトミラーの表面に設けられたことを特徴とする光ピックアップ装置。
【請求項２】
前記レフレクトミラーは、略板状に形成され、
該レフレクトミラーの前記粗面部は、前記受光素子側に設けられたことを特徴とする請求項１記載の光ピックアップ装置。
【請求項３】
前記粗面部は、不規則に荒らされた面として形成されたことを特徴とする請求項１又は２記載の光ピックアップ装置。
【請求項４】
前記発光素子と、
前記レフレクトミラーとの間の光路に、
該発光素子側から入射された前記レーザ光を平行光として該レフレクトミラー側に出射させるコリメータレンズが位置することを特徴とする請求項１〜３の何れか１項に記載の光ピックアップ装置。
【請求項５】
持運びが容易なコンピュータの光ディスク装置に装備可能とされたことを特徴とする請求項１〜４の何れか１項に記載の光ピックアップ装置。
【発明の詳細な説明】
【技術分野】
【０００１】
本発明は、例えば、ＣＤ−Ｒ（Compact Disc - Recordable ）などのメディアに高品質な記録を実行可能とさせた光ピックアップ装置に関するものである。
【背景技術】
【０００２】
図５は、従来の光ピックアップ装置の一形態を示す説明図、図６は、従来のレフレクトミラー内に光の内部反射が生じて光の干渉が発生した状態を示す説明図である。
【０００３】
光ピックアップ装置５０１（図５）が用いられて、メディア９００における情報などのデータの再生または記録が行われる。メディア９００として、例えば、ＣＤ−ＲＯＭ，ＤＶＤ−ＲＯＭなどの読出し専用の光ディスクや、ＣＤ−Ｒ，ＤＶＤ±Ｒなどの追記型の光ディスク等が挙げられる。
【０００４】
「ＣＤ」は、「Compact Disc」の略称である。また、「ＤＶＤ」は、「Digital Versatile Disc」もしくは「Digital Video Disc」の略称である。また、「ＣＤ−ＲＯＭ」もしくは「ＤＶＤ−ＲＯＭ」の「ＲＯＭ」は、「Read Only Memory」の略称である。ＣＤ−ＲＯＭもしくはＤＶＤ−ＲＯＭは、データ読出し専用のものである。また、「ＣＤ−Ｒ」または「ＤＶＤ−Ｒ」もしくは「ＤＶＤ＋Ｒ」の「Ｒ」は、「Recordable」の略称である。ＣＤ−ＲまたはＤＶＤ−ＲもしくはＤＶＤ＋Ｒは、データの書込みが可能なものである。
【０００５】
光ピックアップ装置５０１は、前記各種光ディスクに記録されたデータを再生させたり、前記書込み可能もしくは書換え可能な各種光ディスクにデータを記録させたりする。光ピックアップ装置５０１は、ＣＤ系のメディアと、ＤＶＤ系のメディアとに対応している。
【０００６】
ＣＤ用レーザドライバ５１０からＣＤ用発光素子５２０へ電流が流されて、ＣＤ用発光素子５２０からレーザ光が出力される。発光素子には、レーザダイオードが使われている。レーザダイオード（Laser Diode ）は、「ＬＤ」と略称されている。ＣＤ用ＬＤ５２０は、レーザホルダ５３０内に収容されている。レーザホルダは、ＬＤを保持するものとされていることから、ＬＤホルダ等と略称されている。
【０００７】
また、レーザドライバは、「ＬＤＤ」等と呼ばれている。レーザドライバ（ＬＤＤ）は、「ＬＤ Driver 」の略称とされる。ＬＤＤ５１０からＬＤ５２０に電流が供給されて、ＬＤ５２０から出射されたレーザ光により、ＣＤ−Ｒなどのディスク９００に情報の記録が行われたり、ＣＤ−Ｒなどのディスク９００に記録された情報が再生されたりする。
【０００８】
ＬＤ５２０から出力されたレーザ光は、１／２波長板＋回折格子５４０、ダイバージェントレンズ５５０を通り抜け、第一のビームスプリッタ５６０内を略直角に反射して通り抜け、第二のビームスプリッタ６６０を通り抜け、レフレクトミラー８００において略直角に反射され、コリメータレンズ７１０、１／４波長板７２０、対物レンズ７３０を通り抜けて、ディスク９００に照射される。
【０００９】
１／２波長板＋回折格子５４０は、１／２波長板と、回折格子とが、一つのものとして合わせられたものである。回折格子は、光の回折を利用して、ＬＤから出射されたレーザ光を幾つかに分けるものとされている。詳しく説明すると、回折格子は、光の回折を利用して、ＬＤから出射されたレーザ光を一つのメインビームと、二つのサブビームとに分ける役割を果たす。また、１／２波長板は、レーザ光が持つ偏光特性に関し、そのレーザ光
の直線偏光の偏光方向を変える役割を果たす。１／２波長板（half wave plate ）は、ＨＷＰと略称される。また、ＨＷＰ（１／２波長板）は、１／２λ（ラムダ）板とも呼ばれる。ＨＷＰ＋回折格子は、ＨＷＰと、回折格子との二つの特性を合わせ持っている。
【００１０】
ダイバージェントレンズ５５０は、ＬＤ５２０から出射されたレーザ光を集めるものとされている。
【００１１】
ビームスプリッタ５６０は、例えば図５に示すものにおいては、レーザ光の偏光方向に関し、Ｓ波を反射させ、Ｐ波を透過させる。Ｐ波の「Ｐ」は、ドイツ語の「parallel」の略称とされ、「平行」を意味する。また、Ｓ波の「Ｓ」は、ドイツ語の「senkrecht 」の略称とされ、「垂直」を意味する。ビームスプリッタ５６０，６６０は、ＣＤ用波長やＤＶＤ用波長により異なる特性をもつ。ビームスプリッタ（Beam Splitter ）は、ＢＳと略称される。
【００１２】
レフレクトミラー８００において、レーザ光の大半の光が反射されるが、レーザ光の一部の光は透過される。レフレクトミラー（Reflect Mirror）は、「ＲＭ」と略称されている。ＲＭ８００において、レーザ光が入射される表面８０１は、光沢のある滑らかな表面とされている。また、ＲＭ８００において、レーザ光が出射される表面８０２も、光沢のある滑らかな表面とされている。
【００１３】
実線で示すコリメータレンズ７１０は、レフレクトミラー８００側からレンズ７１０に入った光を、平行光にして対物レンズ７３０側に出射させる。コリメータレンズ（Collimator Lens ）は、例えば「ＣＬ」と略称される。平行光とは、光線が広がらずにどこまでも平行に進む光を意味する。これに対し、拡散光とは、さまざまな方向に光を拡散させて照射させる光源の光を意味する。
【００１４】
１／４波長板７２０は、直線偏光を円偏光に変えたり、円偏光を直線偏光に変えたりする。１／４波長板（Quarter Wave Plate）は、「ＱＷＰ」と略称される。
【００１５】
対物レンズ７３０は、ＬＤ５２０またはＬＤ６２０から出射されたレーザ光をディスク９００上に集光させる役割を果たす。対物レンズ（Objective Lens）は、「ＯＢＬ」と略称されている。ＯＢＬ７３０は、レンズホルダ（図示せず）に装着される。
【００１６】
また、ＬＤ５２０から出力されるレーザ光の一部は、ＨＷＰ＋回折格子５４０、ダイバージェントレンズ５５０を通り抜け、第一のＢＳ５６０内を略直角に反射して通り抜け、第二のＢＳ６６０、ＲＭ８００を通り抜けて、受光素子７４０に入る。受光素子７４０は、レーザ光の一部が照射されるフロントモニタダイオード７４０である。フロントモニタダイオード（Front Monitor Diode ）は、「ＦＭＤ」と略称されている。ＦＭＤ７４０は、ＬＤ５２０，６２０から出力されるレーザ光をモニタして、ＬＤ５２０，６２０の制御のためにフィードバックをかける受光素子７４０である。
【００１７】
また、ディスク９００から反射されたレーザ光の一部は、ＯＢＬ７３０、ＱＷＰ７２０、ＣＬ７１０を通り抜け、ＲＭ８００において略直角に反射され、第二のＢＳ６６０、第一のＢＳ５６０、アナモフィックレンズ７５０を通り抜けて、フォトダイオードＩＣ７６０に当てられる。
【００１８】
アナモフィックレンズ７５０は、レーザ光の非点収差を発生させる。非点収差とは、ピント位置の差を意味する。
【００１９】
フォトダイオードＩＣ７６０は、ディスク９００から反射されたレーザ光を受けて、そ
の信号を電気信号に変え、ディスク９００に記録された情報を検出するための光検出器である。また、フォトダイオードＩＣ７６０は、ディスク９００から反射されたレーザ光を受けて、その信号を電気信号に変えて、光ピックアップ装置５０１を構成するＯＢＬ７３０付レンズホルダ（図示せず）のサーボ機構（図示せず）を動作させるための光検出器でもある。フォトダイオードＩＣ（Photo Diode IC）は、「ＰＤＩＣ」と略称されている。また、サーボもしくはサーボ機構とは、制御の対象とされるものの状態を測定し、測定したものと基準値とを比較して、自動的に修正制御を行わせる機構のものを意味する。
【００２０】
また、ＤＶＤ用レーザドライバ６１０からＤＶＤ用発光素子６２０へ電流が流されて、ＤＶＤ用発光素子６２０からレーザ光が出力される。ＤＶＤ用ＬＤ６２０は、レーザホルダ６３０内に収容されている。ＬＤＤ６１０からＬＤ６２０に電流が供給されて、ＬＤ６２０から出射されたレーザ光により、ＤＶＤ−Ｒなどのディスク９００に情報の記録が行われたり、ＤＶＤ−Ｒなどのディスク９００に記録された情報が再生されたりする。
【００２１】
ＬＤ６２０から出力されたレーザ光は、ダイバージェントレンズ６４０、ＨＷＰ＋回折格子６５０を通り抜け、ＢＳ６６０内を略直角に反射して通り抜け、ＲＭ８００において略直角に反射され、ＣＬ７１０、ＱＷＰ７２０、ＯＢＬ７３０を通り抜けて、ディスク９００に照射される。ＨＷＰ＋回折格子６５０は、ＨＷＰと、回折格子とが、一つのものとして合わせられたものである。
【００２２】
また、ＬＤ６２０から出力されるレーザ光の一部は、ダイバージェントレンズ６４０、ＨＷＰ＋回折格子６５０を通り抜け、ＢＳ６６０内を略直角に反射して通り抜け、ＲＭ８００を通り抜けて、受光素子７４０に入る。
【００２３】
また、ディスク９００から反射されたレーザ光の一部は、ＯＢＬ７３０、ＱＷＰ７２０、ＣＬ７１０を通り抜け、ＲＭ８００において略直角に反射され、第二のＢＳ６６０、第一のＢＳ５６０、アナモフィックレンズ７５０を通り抜けて、ＰＤＩＣ７６０に当てられる。
【００２４】
また、前記ＬＤＤ５１０、前記ＬＤ５２０、前記ＬＤＤ６１０、前記ＬＤ６２０、前記ＦＭＤ７４０、前記ＰＤＩＣ７６０は、フレキシブルプリント回路体などのフレキシブル基板５０５に通電可能に接続されている。フレキシブルプリント回路体（Flexible Printed Circuit）は、「ＦＰＣ」と略称されている。ＦＰＣ５０５は、複数の回路導体５０５ｐが絶縁シート５０５ｑに印刷されて、例えば銅箔などの金属箔５０５ｐが絶縁シート５０５ｑに並設され、その上に透明もしくは半透明の不図示の保護層が設けられて構成される。図５に示す光ピックアップ装置５０１は、上記構成のものとされている。
【００２５】
また、従来のものとして、例えば、ホログラムを階段状に形成させ、各ホログラムにおける光の回折効率を向上させることにより、より低出力の半導体レーザが利用可能とされた低コストの光ピックアップ及び相変化型光ディスク用の光ピックアップというものがある（例えば、特許文献１参照。）。
【先行技術文献】
【特許文献】
【００２６】
【特許文献１】特開平９−９７４４４号公報（第５頁、第３，４，７図）
【発明の概要】
【発明が解決しようとする課題】
【００２７】
近年、光ピックアップ装置５０１（図５）のさらなる軽薄化や小型化が要求されている。光ピックアップ装置５０１を軽薄化するために、ＲＭ８００と、ＯＢＬ７３０との間に
位置する実線で示されたＣＬ７１０およびＱＷＰ７２０を、仮想線で示すＣＬ７１０ＸおよびＱＷＰ７２０Ｘとして、第二のＢＳ６６０と、ＲＭ８００との間に移動して設置させることが考えられた。
【００２８】
しかしながら、このような構造の光ピックアップ装置（５０１）にあっては、図６の如く、ＲＭ８００の内部８０４において、光の内部反射が生じて光の干渉現象が発生する。第二のＢＳ６６０（図５）からＣＬ７１０Ｘを透過してＱＷＰ７２０Ｘに進むレーザ光は、平行光となる。レーザ光が平行光となったときに、ＲＭ８００（図６）のミラー内部８０４に、光の内部反射が生じて光の干渉が発生する。
【００２９】
光の干渉とは、光の波同士が重ねられて強め合ったり弱め合ったりする現象を意味する。前記光ピックアップ装置（５０１）（図５）に生ずる光の干渉は、レーザ光が拡散光のときには発生せず、レーザ光が平行光のときに発生する。
【００３０】
ＲＭ８００（図５，図６）の内部８０４において、光の内部反射が生じて光の干渉現象が発生した場合、ＦＭＤ７４０（図５）に照射されるレーザ光は、不安定な状態となる。このようなことが発生すると、ＦＭＤ７４０から出力される電流は変動する。
【００３１】
ＦＭＤ７４０は、ＲＭ８００を透過した一部の光をモニタするものとされているため、ＲＭ８００内において、光の内部反射が生じて光の干渉現象が発生した場合（図６）、ＲＭ８００を透過した光の量に変化が生じることとなる。
【００３２】
このようなことが発生すると、ＦＭＤ７４０（図５）に当てられる光の量にも変化が生じる。また、これに伴って、ＦＭＤ７４０から流される電流の量も変動する。ＦＭＤ７４０から流される電流の量が変動すると、ＬＤ５２０またはＬＤ６２０から出射されるレーザ光の出力量も変動する。
【００３３】
ＦＭＤ７４０は、ＬＤ５２０またはＬＤ６２０から出力されるレーザ光をモニタして、ＬＤ５２０またはＬＤ６２０の制御のためにフィードバックをかけるものとされていることから、ＦＭＤ７４０から流される電流の量が変動すると、ＬＤ５２０またはＬＤ６２０から出射されるレーザ光の出力量も変動する。
【００３４】
このようなことが生じた場合、ＣＤ−Ｒなどのディスク９００にデータの記録が行われるときや、ＣＤ−Ｒなどのディスク９００からデータが再生されるときに、不具合が生じるということが懸念されていた。
【００３５】
例えば光ディスク９００に対するデータの記録が行われているときに、ＬＤ５２０またはＬＤ６２０から出射されるレーザ光の強度が不安定となって、光ディスク９００に記録不良が生じた場合、各種光ディスク装置（図示せず）を用いて、その光ディスク９００の記録内容を読み取ることは、不可能となることが懸念されていた。このように、光ディスク９００などのメディアに記録不良が生じて、光ディスク９００などのメディアが読出し不可能なものとされた場合、この光ディスク９００は、無駄なものとされることが懸念されていた。
【００３６】
本発明は、上記した点に鑑み、レフレクトミラー内に光の内部反射が生じて光の干渉が発生し、ＣＤ−Ｒなどのメディアに対し記録不良などの不具合が生じることなく、メディアに高品質な記録が実行可能とされた光ピックアップ装置を提供することを目的とする。
【課題を解決するための手段】
【００３７】
上記目的を達成するために、本発明の請求項１に係る光ピックアップ装置は、レーザ光
を出射する発光素子と、該発光素子から出射される該レーザ光の状態を監視して該発光素子の制御にフィードバックをかけるための受光素子と、該発光素子から出射される該レーザ光の一部を該受光素子に照射させるレフレクトミラーとを備える光ピックアップ装置において、前記レフレクトミラー内に光の内部反射が生じることで、前記受光素子が誤動作することを防ぐ粗面部が、該レフレクトミラーの表面に設けられたことを特徴とする。
【００３８】
上記構成により、レフレクトミラー内に光の内部反射が生じて光の干渉が発生し、これに伴って受光素子が誤動作し、結果として光ピックアップ装置が誤動作するということは、回避され易くなる。光の干渉とは、光の波同士が重ねられて強め合ったり弱め合ったりする現象を意味する。例えばＣＤ−Ｒなどのメディアに対し、光ピックアップ装置が用いられて情報などのデータが記録されるときに、レフレクトミラーにレーザ光が入射される。このとき、レフレクトミラー内において光の内部干渉が生じた場合、受光素子に入光するレーザ光は変動する。このようなことが生じた場合、発光素子から定められたパワーのレーザ光が出射されず、低品質のデータ記録がメディアに行われることが懸念されていた。しかしながら、レフレクトミラー内に光の内部反射が生じることで、受光素子が誤動作することを防ぐ粗面部が、レフレクトミラーの表面に設けられていれば、レフレクトミラーを透過したレーザ光の一部は、安定した状態で受光素子に当てられる。従って、記録不良などの不具合が生じることなくＣＤ−Ｒなどのメディアに高品質な記録を行うことができる光ピックアップ装置が提供される。
【００３９】
請求項２に係る光ピックアップ装置は、請求項１記載の光ピックアップ装置において、前記レフレクトミラーは、略板状に形成され、該レフレクトミラーの前記粗面部は、前記受光素子側に設けられたことを特徴とする。
【００４０】
上記構成により、レフレクトミラー内に光の内部反射が生じることで光の干渉現象が発生するということは回避され、発光素子から出射されたレーザ光の一部は、レフレクトミラー内を透過して確実に受光素子に当てられる。従って、受光素子に当てられる一部のレーザ光が不安定な状態となり、これに伴って発光素子から出射されるレーザ光のパワーが変動し、光ピックアップ装置に誤動作が生じるということは、回避され易くなる。
【００４１】
請求項３に係る光ピックアップ装置は、請求項１又は２記載の光ピックアップ装置において、前記粗面部は、不規則に荒らされた面として形成されたことを特徴とする。
【００４２】
上記構成により、レフレクトミラーに入射されたレーザ光がレフレクトミラー内において干渉されるということは、発生され難くなる。レフレクトミラーの表面に設けられた粗面部は、不規則に荒らされた面として形成されているので、レフレクトミラー内に光の内部反射が生じることで光の干渉現象が発生するということは回避され、レフレクトミラー内に入射されたレーザ光に、光の干渉が生じることなく、レーザ光の一部は、レフレクトミラーの外へ正常に出射される。従って、記録不良などの不具合が生じることのない光ピックアップ装置の提供が可能となる。
【００４３】
請求項４に係る光ピックアップ装置は、請求項１〜３の何れか１項に記載の光ピックアップ装置において、前記発光素子と、前記レフレクトミラーとの間の光路に、該発光素子側から入射された前記レーザ光を平行光として該レフレクトミラー側に出射させるコリメータレンズが位置することを特徴とする。
【００４４】
上記構成により、記録不良などの不具合が発生することのない薄型化された光ピックアップ装置が提供可能となる。発光素子側から入射されたレーザ光を平行光としてレフレクトミラー側に出射させるコリメータレンズが、発光素子と、レフレクトミラーとの間の光路に位置するものとされているので、光ピックアップ装置の厚さを薄くすることが可能と
なる。従って、ＣＤ−Ｒなどのメディアに高品質な記録を行うことができる薄型の光ピックアップ装置の提供が可能となる。
【００４５】
請求項５に係る光ピックアップ装置は、請求項１〜４の何れか１項に記載の光ピックアップ装置において、持運びが容易なコンピュータの光ディスク装置に装備可能とされたことを特徴とする。
【００４６】
上記構成により、光ディスク装置における記録不良などが発生され難い薄型のコンピュータが構成される。従って、光ディスク装置にて記録が良好に実行可能とされると共に薄型化されたコンピュータの提供が可能となる。
【発明の効果】
【００４７】
以上の如く、請求項１記載の発明によれば、レフレクトミラー内に光の内部反射が生じて光の干渉が発生し、これに伴って受光素子が誤動作し、結果として光ピックアップ装置が誤動作するということを、回避させ易くすることができる。例えばＣＤ−Ｒなどのメディアに対し、光ピックアップ装置が用いられて情報などのデータが記録されるときに、レフレクトミラーにレーザ光が入射される。このとき、レフレクトミラー内において光の内部干渉が生じた場合、受光素子に入光するレーザ光は変動する。このようなことが生じた場合、発光素子から定められたパワーのレーザ光が出射されず、低品質のデータ記録がメディアに行われることが懸念されていた。しかしながら、レフレクトミラー内に光の内部反射が生じることで、受光素子が誤動作することを防ぐ粗面部が、レフレクトミラーの表面に設けられていれば、レフレクトミラーを透過したレーザ光の一部は、安定した状態で受光素子に当てられる。従って、記録不良などの不具合が生じることなくＣＤ−Ｒなどのメディアに高品質な記録が実行可能とされた光ピックアップ装置を提供することができる。
【００４８】
請求項２記載の発明によれば、レフレクトミラー内に光の内部反射が生じることで光の干渉現象が発生するということは回避され、発光素子から出射されたレーザ光の一部は、レフレクトミラー内を透過して確実に受光素子に当てられる。従って、受光素子に当てられる一部のレーザ光が不安定な状態となり、これに伴って発光素子から出射されるレーザ光のパワーが変動し、光ピックアップ装置に誤動作が生じるということを、回避させ易くすることができる。
【００４９】
請求項３記載の発明によれば、レフレクトミラーに入射されたレーザ光がレフレクトミラー内において干渉されるということを、発生させ難くすることができる。レフレクトミラーの表面に設けられた粗面部は、不規則に荒らされた面として形成されているので、レフレクトミラー内に光の内部反射が生じることで光の干渉現象が発生するということは回避され、レフレクトミラー内に入射されたレーザ光に、光の干渉が生じることなく、レーザ光の一部は、レフレクトミラーの外へ正常に出射される。従って、記録不良などの不具合が生じることのない光ピックアップ装置を提供することができる。
【００５０】
請求項４記載の発明によれば、記録不良などの不具合が発生することのない薄型化された光ピックアップ装置を提供することができる。発光素子側から入射されたレーザ光を平行光としてレフレクトミラー側に出射させるコリメータレンズが、発光素子と、レフレクトミラーとの間の光路に位置するものとされているので、光ピックアップ装置の厚さを薄くすることができる。従って、ＣＤ−Ｒなどのメディアに高品質な記録を行うことが可能とされた薄型の光ピックアップ装置を提供することができる。
【００５１】
請求項５記載の発明によれば、光ディスク装置における記録不良などが発生され難い薄型のコンピュータを構成させることができる。従って、光ディスク装置にて記録が良好に
実行可能とされると共に薄型化されたコンピュータを提供させることができる。
【図面の簡単な説明】
【００５２】
【図１】本発明に係る光ピックアップ装置の第一の実施形態を示す説明図である。
【図２】レフレクトミラーの表面状態を示す説明図および部分拡大図である。
【図３】レフレクトミラーにレーザ光が通される状態を示す説明図である。
【図４】本発明に係る光ピックアップ装置の第二の実施形態におけるレフレクトミラーを示す説明図である。
【図５】従来の光ピックアップ装置の一形態を示す説明図である。
【図６】従来のレフレクトミラー内に光の内部反射が生じて光の干渉が発生した状態を示す説明図である。
【発明を実施するための形態】
【００５３】
以下に本発明に係る光ピックアップ装置の実施の形態を図面に基づいて詳細に説明する。
【実施例１】
【００５４】
図１は、本発明に係る光ピックアップ装置の第一の実施形態を示す説明図、図２は、レフレクトミラーの表面状態を示す説明図および部分拡大図、図３は、レフレクトミラーにレーザ光が通される状態を示す説明図である。
【００５５】
光ピックアップ装置１（図１）が用いられて、メディア４００における情報などのデータの再生または記録が行われる。光ピックアップ（optical pickup）は、「ＯＰＵ」と呼ばれている。メディア４００として、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などの書込み／消去や書換え可能なタイプの光ディスクなどが挙げられる。
【００５６】
「ＣＤ−ＲＷ」または「ＤＶＤ−ＲＷ」もしくは「ＤＶＤ＋ＲＷ」の「ＲＷ」は、「ReWritable」の略称である。ＣＤ−ＲＷまたはＤＶＤ−ＲＷもしくはＤＶＤ＋ＲＷは、データの書換えが可能なものである。また、「ＤＶＤ−ＲＡＭ」は、「Digital Versatile Disc Random Access Memory 」の略称である。ＤＶＤ−ＲＡＭは、データの読み書き・消去が可能なものである。
【００５７】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列の光ディスクよりも記憶容量の大きいものである。従来のＣＤには、赤外レーザが用いられて信号／データの読み書きが行われていた。また、従来のＤＶＤには、赤色レーザが用いられて信号／データの読み書きが行われていた。これに対し、「ＨＤ  ＤＶＤ」の光ディスクに記録されたデータが読み出されるときには、青紫色レーザが用いられる。また、「Blu-ray 」とは、従来のＣＤで信号の読み書きに用いられていた赤外レーザや、従来のＤＶＤで信号の読み書きに用いられていた赤色レーザに対し、高密度記録が実現されるために採用された青紫色レーザを意味する。
【００５８】
また、光ディスクとして、例えばディスク両面に信号面（図示せず）が設けられ、データ書込み／消去やデータ書換えが可能とされた光ディスク（図示せず）等も挙げられる。さらに、光ディスクとして、例えば、二層／三層／四層の信号面（図示せず）が設けられ、データ書込み／消去やデータ書換えが可能とされた光ディスク（図示せず）等も挙げられる。
【００５９】
光ピックアップ装置１は、前記各種光ディスクに記録されたデータを再生させたり、前記書込み可能もしくは書換え可能な各種光ディスクにデータを記録させたりする。光ピックアップ装置１は、ＣＤ系のメディアや、ＤＶＤ系のメディア等に対応する。このように、光ピックアップ装置１は、複数のメディアに対応可能とされる。
【００６０】
ＣＤ用レーザドライバ１０からＣＤ用発光素子２０へ電流が流されて、ＣＤ用発光素子２０からレーザ光が出力される。ＣＤ用発光素子２０は、波長が約７７０〜８０５ｎｍ（ナノメータ）のレーザ光を出射するＣＤ用レーザダイオード（ＬＤ）である。ＣＤ用ＬＤ２０は、レーザホルダ（ＬＤホルダ）３０内に収容されている。
【００６１】
第一のレーザドライバ（ＬＤＤ）１０は、第一のＬＤ２０を駆動させて第一のＬＤ２０からレーザ光を出射するレーザ駆動回路とされている。第一のＬＤＤ１０から第一のＬＤ２０に電流が供給されて、第一のＬＤ２０から出射されたレーザ光により、ＣＤ−Ｒなどのディスク４００に情報の記録が行われたり、ＣＤ−Ｒなどのディスク４００に記録された情報が再生されたりする。
【００６２】
第一のＬＤ２０から出力されたレーザ光は、第一の１／２波長板（ＨＷＰ）＋回折格子４０、第一のダイバージェントレンズ５０を通り抜け、第一の偏光ビームスプリッタ６０内を略直角に反射して通り抜け、第二の偏光ビームスプリッタ１６０、コリメータレンズ（ＣＬ）２１０、１／４波長板（ＱＷＰ）２２０を通り抜け、レフレクトミラー（ＲＭ）３００において略直角に反射され、対物レンズ（ＯＢＬ）２３０を通り抜けて、ディスク４００に照射される。ＲＭ３００の表側面３０１に当てられて反射されたレーザ光は、ＯＢＬ２３０により、ディスク４００に集光される。
【００６３】
ＲＭ３００におけるＬＤ２０，１２０側もしくはＯＢＬ２３０側を、ＲＭ３００の表面側とし、ＲＭ３００における受光素子２４０側を、ＲＭ３００の裏面側とする。この明細書におけるレフレクトミラーの「表」、「裏」の定義は、レフレクトミラーを備えるピックアップ装置を説明するための便宜上のものとされる。
【００６４】
ＨＷＰ＋回折格子４０は、ＨＷＰと、回折格子とが、一つのものとして合わせられたものである。ＨＷＰ＋回折格子は、例えば「ＤＯＥ」とも呼ばれる。ＤＯＥ（Diffractive Optical Element ）とは、光の回折現象を利用して光の進行方向を変える回折光学素子を意味する。
【００６５】
ダイバージェントレンズ５０は、ＬＤ２０から出射されたレーザ光を集めるものとされている。ダイバージェントレンズは、カップリングレンズ、又はセンサレンズ、又は中間レンズなどと呼ばれて、取り扱われることもある。
【００６６】
偏光ビームスプリッタ６０は、レーザ光の偏光方向に関し、例えばＳ波を反射させ、Ｐ波を透過させる。偏光ビームスプリッタ１６０は、例えばＤＶＤ用レーザ光のＳ波を反射させ、ＤＶＤ用レーザ光のＰ波を透過させる。なお、偏光ビームスプリッタ１６０にＣＤ用レーザ光が入射されたときに、例えばＣＤ用レーザ光は、Ｓ波、Ｐ波共に透過する。光ピックアップ装置の設計仕様などにより、Ｓ波、Ｐ波は、使い分けられる。偏光ビームスプリッタ６０，１６０は、ＣＤ用波長やＤＶＤ用波長により異なる特性をもつ。
【００６７】
例えば偏光ビームスプリッタ１６０が精度よくハウジングに取り付けられることで、ディスク４００に照射されるレーザ光の非点発生は抑制される。非点とは、例えばピントの位置ずれを意味する。偏光ビームスプリッタは、例えばＰＢＳと略称して用いられる。「ＰＢＳ」は、「Polarized Beam Splitter 」もしくは「Polarizing Beam Splitter」の略
称とされ、偏光ビームスプリッタを意味する。また、ハウジングとは、部品が収容される箱形のもの等の物が入れられる箱や、箱に類似したものを意味する。
【００６８】
第一のＰＢＳ６０は、略三角柱状の第一部材６０Ａと、この第一部材６０Ａに合わせられる略三角柱状の第二部材６０Ｂとを備えるものとして構成されている。略三角柱状の第一部材６０Ａと、略三角柱状の第二部材６０Ｂとが合わせられることで、略立方体形状の第一のＰＢＳ６０が構成される。第一のＰＢＳ６０を構成する第一部材６０Ａと、第一のＰＢＳ６０を構成する第二部材６０Ｂとの間に、膜６０Ｆが設けられている。第一のＰＢＳ６０内の境界面部６０Ｌに、膜６０Ｆが形成されている。また、第一のＰＢＳ６０を構成する各表面６１，６２，６３，６４は、光沢のある滑らかな表面６１，６２，６３，６４として形成されている。
【００６９】
略立方体状に形成された第一ＰＢＳ６０の第一側面６１に対し、第一ＰＢＳ６０の第二側面６２は、直角に交差する面とされている。また、第一ＰＢＳ６０の第二側面６２に対し、第一ＰＢＳ６０の第三側面６３は、平行な面とされている。また、第一ＰＢＳ６０の第一側面６１に対し、第一ＰＢＳ６０の第三側面６３は、直角に交差する面とされている。また、第一ＰＢＳ６０の第一側面６１に対し、第一ＰＢＳ６０の第四側面６４は、平行な面とされている。第一側面６１、第二側面６２、第三側面６３、第四側面６４以外の残る二つの側面については、レーザ光の光路と無関係なことから、ここでは、その詳細な説明を省略する。内部に膜６０Ｆを備えたＰＢＳ６０として、例えば、タムロン社製：ＰＢＳプリズムなどが挙げられる。
【００７０】
第二のＰＢＳ１６０は、略三角柱状の第一部材１６０Ａと、この第一部材１６０Ａに合わせられる略三角柱状の第二部材１６０Ｂとを備えるものとして構成されている。略三角柱状の第一部材１６０Ａと、略三角柱状の第二部材１６０Ｂとが合わせられることで、略立方体形状の第二のＰＢＳ１６０が構成される。第二のＰＢＳ１６０を構成する第一部材１６０Ａと、第二のＰＢＳ１６０を構成する第二部材１６０Ｂとの間に、特殊な膜１６０Ｆが設けられている。第二のＰＢＳ１６０内の境界面部１６０Ｌに、特殊な膜１６０Ｆが形成されている。この膜１６０Ｆは、波長が約７７０〜８０５ｎｍのＣＤ用レーザ光を透過させる特殊な膜１６０Ｆとされている。第二のＰＢＳ１６０内の境界面部１６０Ｌに、特殊な膜１６０Ｆが設けられていることにより、第二のＰＢＳ１６０は、ＣＤ用波長やＤＶＤ用波長によって、異なる特性をもつ。第二のＰＢＳ１６０は、ダイクロイックプリズムとも呼ばれる。また、ダイクロイックプリズムに設けられた膜は、ダイクロ膜などと呼ばれている。ダイクロイック（dichroic）とは、二つの色相をもつことを意味する。第二のＰＢＳ１６０を構成する各表面１６１，１６２，１６３，１６４は、光沢のある滑らかな表面１６１，１６２，１６３，１６４として形成されている。
【００７１】
略立方体状に形成された第二ＰＢＳ１６０の第一側面１６１に対し、第二ＰＢＳ１６０の第二側面１６２は、直角に交差する面とされている。また、第二ＰＢＳ１６０の第二側面１６２に対し、第二ＰＢＳ１６０の第三側面１６３は、平行な面とされている。また、第二ＰＢＳ１６０の第一側面１６１に対し、第二ＰＢＳ１６０の第三側面１６３は、直角に交差する面とされている。また、第二ＰＢＳ１６０の第一側面１６１に対し、第二ＰＢＳ１６０の第四側面１６４は、平行な面とされている。第一側面１６１、第二側面１６２、第三側面１６３、第四側面１６４以外の残る二つの側面については、レーザ光の光路と無関係なことから、ここでは、その詳細な説明を省略する。内部にダイクロ膜１６０Ｆを備えたＰＢＳ１６０として、例えば、タムロン社製：ＰＢＳプリズムなどが挙げられる。
【００７２】
ＣＬ２１０は、ＬＤ２０，１２０側すなわちＰＢＳ６０，１６０側からこのレンズに入射された光を平行光にして、ＱＷＰ２２０側すなわちＲＭ３００側に出射させる。
【００７３】
ＱＷＰ２２０は、直線偏光を円偏光に変えたり、円偏光を直線偏光に変えたりする。ＱＷＰ２２０は、ＤＶＤ記録系の光ピックアップ装置１に必須とされる。直線偏光が円偏光にされ、ＱＷＰ２２０と、ディスク４００との間のレーザ光が円偏光とされることで、例えばディクス４００が粗悪なものとされていても、ディスク４００に対するデータの記録／再生動作は、正常に行われる。また、直線偏光が円偏光にされ、ＱＷＰ２２０と、ディスク４００との間のレーザ光が円偏光とされることで、ＣＤ−Ｒディスク４００に対し、データの書込み／再生が行われるときの特性が向上される。ＱＷＰは、１／４λ板とも呼ばれる。なお、光ピックアップ装置の機種により、ＱＷＰが装備されていない光ピックアップ装置（図示せず）もある。
【００７４】
ＱＷＰ２２０側すなわちＬＤ２０，１２０側からＲＭ３００の表側面３０１にレーザ光が照射されたときに、大部分のレーザ光は反射され、ＯＢＬ２３０を透過してディスク４００に照射される。しかしながら、一部のレーザ光は、ミラー内部３０４を透過し、受光素子２４０に照射される。また、ディスク４００から反射されＯＢＬ２３０を透過したレーザ光が、ＲＭ３００の表側面３０１に照射されたときに、大部分のレーザ光は反射され、大半のレーザ光は、ＱＷＰ２２０側すなわちＣＬ２１０側に反射される。このＲＭ３００は、光学的特性に優れるガラスが用いられて形成されている。ＲＭは、立上げミラーなどとも呼ばれている。
【００７５】
ＲＭ３００の表側面３０１に、特殊な膜３００Ｆが設けられている。この膜３００Ｆは、例えば、大部分のレーザ光を反射させ、一部のレーザ光を透過させる役割を果たす。特殊膜３００Ｆにレーザ光が照射されたときに、例えば、約９２〜９８％のレーザ光が反射され、約２〜８％のレーザ光が透過する。具体的に説明すると、ＲＭ３００の表側面３０１の特殊膜３００Ｆにレーザ光が照射されたときに、略９５％のレーザ光が反射され、略５％のレーザ光が透過する。
【００７６】
ＲＭ３００の表側面３０１にレーザ光が当てられたときに、レーザ光の反射量が例えば９２％よりも少ない場合、即ち、レーザ光の透過量が例えば８％よりも多い場合、光ディスク４００にレーザ光を照射させるための必要な光量が不足する。ＲＭ３００の表側面３０１にレーザ光が当てられたときに、レーザ光の反射量が例えば９８％よりも多い場合、即ち、レーザ光の透過量が例えば２％よりも少ない場合、受光素子２４０に必要とされるレーザ光の受光量が不足する。ＲＭ３００の表側面３０１にレーザ光が当てられたときに、レーザ光の反射量が例えば９５％とされた場合、即ち、レーザ光の透過量が例えば５％とされた場合、光ディスク４００に十分なレーザ光が照射されると共に、受光素子２４０にも必要とされる適度なレーザ光が照射される。従って、このような特性をもつＲＭ３００が光ピックアップ装置１に装備されることが好ましい。
【００７７】
前記特殊な膜３００ＦがＲＭ３００の表側面３０１に設けられているので、ＲＭ３００の表側面３０１にレーザ光が照射されたときに、大部分のレーザ光が反射され、一部のレーザ光がミラー内部３０４を透過することとなる。特殊な膜３００Ｆが設けられたＲＭ３００の表側面３０１は、平滑な光沢面として形成されている。表面３０１に特殊な膜３００Ｆが設けられたＲＭ３００として、例えば、タムロン社製：膜付ミラーなどが挙げられる。
【００７８】
ＯＢＬ２３０は、ＬＤ２０またはＬＤ１２０から出射されたレーザ光をディスク４００上に集光させる役割を果たす。ＯＢＬ２３０は、レンズホルダ（図示せず）に装着されている。
【００７９】
ディスク４００に対し、ＯＢＬ２３０を備える前記レンズホルダのフォーカスサーボが行われるときに、ＯＢＬ２３０を備える前記レンズホルダは、図１における上下方向に沿
って動かされる。また、ディスク４００に対し、ＯＢＬ２３０を備える前記レンズホルダのトラッキングサーボが行われるときに、ＯＢＬ２３０を備える前記レンズホルダは、図１における左右方向に沿って動かされる。
【００８０】
フォーカスとは、焦点やピントを意味する。また、トラッキングとは、光を用いて、ディスク４００に設けられた微小なピット（穴、凹み）や、グルーブ（溝）、ウォブル（蛇行）などを追跡観測し、螺旋状に描かれた軌道の位置を定めることを意味する。
【００８１】
また、第一のＬＤ２０から出力されるレーザ光の一部は、第一のＤＯＥ４０、第一のダイバージェントレンズ５０を通り抜け、第一のＰＢＳ６０内を略直角に反射して通り抜け、第二のＰＢＳ１６０、ＣＬ２１０、ＱＷＰ２２０を通り抜け、ＲＭ３００の表側面３０１からＲＭ３００の内部３０４に入射され、ＲＭ３００の裏側面３０２から出射されて、受光素子２４０に照射される。第一のＬＤ２０から出射されたレーザ光の一部は、ＲＭ３００の裏側において、受光素子２４０により検出される。
【００８２】
受光素子２４０は、レーザ光の一部が照射されるフロントモニタダイオード（ＦＭＤ）である。ＦＭＤ２４０は、ＬＤ２０，１２０から出力されるレーザ光をモニタして、ＬＤ２０，１２０の制御のためにフィードバックをかける受光素子２４０である。
【００８３】
また、ディスク４００から反射されたレーザ光の一部は、ＯＢＬ２３０を通り抜け、ＲＭ３００の表側面３０１において略直角に反射され、ＱＷＰ２２０、ＣＬ２１０、第二のＰＢＳ１６０、第一のＰＢＳ６０、アナモフィックレンズ２５０を通り抜けて、フォトダイオードＩＣ（ＰＤＩＣ）２６０に当てられる。
【００８４】
アナモフィックレンズ２５０は、レーザ光の非点収差を発生させる。アナモフィックレンズは、アナモレンズと省略して用いられている。
【００８５】
ＰＤＩＣ２６０は、ディスク４００から反射されたレーザ光を受けて、その信号を電気信号に変え、ディスク４００に記録された情報を検出するための光検出器である。また、ＰＤＩＣ２６０は、ディスク４００から反射されたレーザ光を受けて、その信号を電気信号に変えて、光ピックアップ装置１を構成するＯＢＬ２３０付レンズホルダ（図示せず）のサーボ機構（図示せず）を動作させるための光検出器でもある。
【００８６】
第一ＬＤ２０から出力されるＣＤ用レーザ光について詳しく説明すると、第一ＬＤ２０から出射された波長約７７０〜８０５ｎｍのＣＤ用レーザ光は、第一ＤＯＥ４０を透過するときに、直線偏光の偏光方向が変えられて例えばＳ波となる。このＳ波は、第一ダイバージェントレンズ５０を透過し、第一ＰＢＳ６０内に入射する。
【００８７】
このとき、ＣＤ用レーザ光は、Ｓ波とされているので、第一ＰＢＳ６０の第一側面６１から第一ＰＢＳ６０内に入射されたＣＤ用レーザ光は、第一ＰＢＳ６０内の傾斜境界面部６０Ｌにおいて略直角に反射され、第一ＰＢＳ６０の第一側面６１と直角に交差する第二側面６２から出射される。
【００８８】
第一ＰＢＳ６０の第二側面６２から出射されたＳ波は、第二ＰＢＳ１６０の第三側面１６３から第二ＰＢＳ１６０内に入射され、第二ＰＢＳ１６０内を直進して、第二ＰＢＳ１６０の第三側面１６３と平行な第二側面１６２から出射される。第二ＰＢＳ１６０は、波長約７７０〜８０５ｎｍのＣＤ用レーザ光を透過させる膜１６０Ｆを備えるので、波長約７７０〜８０５ｎｍのＳ波は、第二ＰＢＳ１６０内を直進して透過する。
【００８９】
第二ＰＢＳ１６０の第二側面１６２から出射された直線偏光Ｓ波は、ＣＬ２１０を透過
することで、平行光になる。平行光になった直線偏光は、ＱＷＰ２２０において、例えば右旋回の円偏光になる。ＱＷＰ２２０において、右旋回の円偏光とされた大半のＣＤ用レーザ光は、ＲＭ３００の表側面３０１において略直角に反射され、ＯＢＬ２３０を透過して、ＣＤ系ディスク４００に照射される。
【００９０】
また、ＱＷＰ２２０において、右旋回の円偏光とされた一部のＣＤ用レーザ光は、ＲＭ３００の表側面３０１からＲＭ３００の内部３０４に入射され、ＲＭ３００の裏側面３０２から出射されて、ＦＭＤ２４０に照射される。
【００９１】
また、ＣＤ系ディスク４００にＣＤ用レーザ光が照射されると共に、ＣＤ系ディスク４００からＣＤ用レーザ光が反射されることで、右旋回の円偏光のＣＤ用レーザ光は、左旋回の円偏光のＣＤ用レーザ光となる。ＣＤ系ディスク４００にＣＤ用レーザ光が照射されたときに、ＣＤ系ディスク４００からＣＤ用レーザ光が反射されることで、円偏光の旋回方向が反転される。
【００９２】
左旋回の円偏光となったＣＤ用レーザ光は、ＯＢＬ２３０を透過し、ＲＭ３００の表側面３０１に照射される。ＲＭ３００の表側面３０１において、左旋回の円偏光とされた大半のＣＤ用レーザ光は、略直角に反射され、ＱＷＰ２２０に入射される。
【００９３】
ＱＷＰ２２０に入射された左旋回の円偏光は、ＱＷＰ２２０を透過することで、直線偏光Ｐ波となる。このＰ波は、ＣＬ２１０を透過して、第二ＰＢＳ１６０に入射される。
【００９４】
このＰ波は、第二ＰＢＳ１６０の第二側面１６２から第二ＰＢＳ１６０内に入射され、第二ＰＢＳ１６０の第二側面１６２と平行な第三側面１６３から出射される。波長約７７０〜８０５ｎｍのＰ波は、膜１６０Ｆを備える第二のＰＢＳ１６０内を直進して通り抜ける。第二のＰＢＳ１６０内に設けられた膜１６０Ｆは、波長約７７０〜８０５ｎｍのＣＤ用レーザ光を透過させる特殊な膜１６０Ｆとされているので、波長約７７０〜８０５ｎｍのＰ波は、第二ＰＢＳ１６０内を直進し透過する。
【００９５】
第二ＰＢＳ１６０の第三側面１６３から出射された波長約７７０〜８０５ｎｍのＰ波は、第一ＰＢＳ６０の第二側面６２から第一ＰＢＳ６０内に入射され、第一ＰＢＳ６０の第二側面６２と平行な第三側面６３から出射される。このときのＣＤ用レーザ光は、Ｐ波とされているので、Ｐ波は、第一ＰＢＳ６０内の傾斜境界面部６０Ｌを通過し、第一ＰＢＳ６０内を直進して通り抜ける。その後、Ｐ波は、アナモレンズ２５０を透過して、ＰＤＩＣ２６０に照射される。第一ＬＤ２０から出力された大半のＣＤ用レーザ光は、このようにしてＰＤＩＣ２６０に入射される。
【００９６】
また、ＤＶＤ用レーザドライバ１１０からＤＶＤ用発光素子１２０へ電流が流されて、ＤＶＤ用発光素子１２０からレーザ光が出力される。ＤＶＤ用発光素子１２０は、波長が約６３０〜６７０ｎｍのレーザ光を出射するＤＶＤ用レーザダイオードである。ＤＶＤ用ＬＤ１２０は、レーザホルダ１３０内に収容されている。第二のＬＤＤ１１０は、第二のＬＤ１２０を駆動させて第二のＬＤ１２０からレーザ光を出射させるレーザ駆動回路とされている。第二のＬＤＤ１１０から第二のＬＤ１２０に電流が供給されて、第二のＬＤ１２０から出射されたレーザ光により、ＤＶＤ−Ｒなどのディスク４００に情報の記録が行われたり、ＤＶＤ−Ｒなどのディスク４００に記録された情報が再生されたりする。
【００９７】
第二のＬＤ１２０から出力されたレーザ光は、第二のダイバージェントレンズ１４０、第二のＨＷＰ＋回折格子（ＤＯＥ）１５０を通り抜け、第二のＰＢＳ１６０内を略直角に反射して通り抜け、ＣＬ２１０、ＱＷＰ２２０を通り抜け、ＲＭ３００において略直角に反射され、ＯＢＬ２３０を通り抜けて、ディスク４００に照射される。ＤＯＥ１５０は、
ＨＷＰと、回折格子とが、一つのものとして合わせられたものである。
【００９８】
また、第二のＬＤ１２０から出力されるレーザ光の一部は、第二のダイバージェントレンズ１４０、第二のＤＯＥ１５０を通り抜け、第二のＰＢＳ１６０内を略直角に反射して通り抜け、ＣＬ２１０、ＱＷＰ２２０を通り抜け、ＲＭ３００の表側面３０１からＲＭ３００の内部３０４に入射され、ＲＭ３００の裏側面３０２から出射されて、ＦＭＤ２４０に照射される。第二のＬＤ１２０から出射されたレーザ光の一部は、ＲＭ３００の裏側において、ＦＭＤ２４０により検出される。
【００９９】
また、ディスク４００から反射されたレーザ光の一部は、ＯＢＬ２３０を通り抜け、ＲＭ３００の表側面３０１において略直角に反射され、ＱＷＰ２２０、ＣＬ２１０、第二のＰＢＳ１６０、第一のＰＢＳ６０、アナモレンズ２５０を通り抜けて、ＰＤＩＣ２６０に当てられる。
【０１００】
第二ＬＤ１２０から出力されるＤＶＤ用レーザ光について詳しく説明すると、第二ＬＤ１２０から出射された波長約６３０〜６７０ｎｍのＤＶＤ用レーザ光は、先ず、第二ダイバージェントレンズ１４０を透過する。第二ダイバージェントレンズ１４０を透過した波長約６３０〜６７０ｎｍのレーザ光は、第二ＤＯＥ１５０を透過するときに、直線偏光の偏光方向が変えられて例えばＳ波となる。
【０１０１】
このＳ波は、第二のＰＢＳ１６０内に入射する。このとき、ＤＶＤ用レーザ光は、Ｓ波とされているので、第二ＰＢＳ１６０の第一側面１６１から第二ＰＢＳ１６０内に入射されたＤＶＤ用レーザ光は、第二ＰＢＳ１６０内の傾斜境界面部１６０Ｌにおいて略直角に反射され、第二ＰＢＳ１６０の第一側面１６１と直角に交差する第二側面１６２から出射される。
【０１０２】
第二ＰＢＳ１６０の第二側面１６２から出射された直線偏光Ｓ波は、ＣＬ２１０を透過することで、平行光になる。平行光になった直線偏光は、ＱＷＰ２２０において、例えば右旋回の円偏光になる。ＱＷＰ２２０において、右旋回の円偏光とされた大半のＤＶＤ用レーザ光は、ＲＭ３００の表側面３０１において略直角に反射され、ＯＢＬ２３０を透過して、ＤＶＤ系ディスク４００に照射される。
【０１０３】
また、ＱＷＰ２２０において、右旋回の円偏光とされた一部のＤＶＤ用レーザ光は、ＲＭ３００の表側面３０１からＲＭ３００の内部３０４に入射され、ＲＭ３００の裏側面３０２から出射されて、ＦＭＤ２４０に照射される。
【０１０４】
また、ＤＶＤ系ディスク４００にＤＶＤ用レーザ光が照射されると共に、ＤＶＤ系ディスク４００からＤＶＤ用レーザ光が反射されることで、右旋回の円偏光のＤＶＤ用レーザ光は、左旋回の円偏光のＤＶＤ用レーザ光となる。ＤＶＤ系ディスク４００にＤＶＤ用レーザ光が照射されたときに、ＤＶＤ系ディスク４００からＤＶＤ用レーザ光が反射されることで、円偏光の旋回方向が反転される。
【０１０５】
左旋回の円偏光となったＤＶＤ用レーザ光は、ＯＢＬ２３０を透過し、ＲＭ３００の表側面３０１に照射される。ＲＭ３００の表側面３０１において、左旋回の円偏光とされた大半のＤＶＤ用レーザ光は、略直角に反射され、ＱＷＰ２２０に入射される。
【０１０６】
ＱＷＰ２２０に入射された左旋回の円偏光は、ＱＷＰ２２０を透過することで、直線偏光Ｐ波となる。このＰ波は、ＣＬ２１０を透過して、第二ＰＢＳ１６０に入射される。
【０１０７】
このＰ波は、第二ＰＢＳ１６０の第二側面１６２から第二ＰＢＳ１６０内に入射され、
第二ＰＢＳ１６０の第二側面１６２と平行な第三側面１６３から出射される。波長約６３０〜６７０ｎｍのＰ波は、第二ＰＢＳ１６０内を直進して通り抜ける。このときのＤＶＤ用レーザ光は、Ｐ波とされているので、このＰ波は、第二ＰＢＳ１６０内の傾斜境界面部１６０Ｌを通過し、第二ＰＢＳ１６０内を直進して通り抜ける。
【０１０８】
第二ＰＢＳ１６０の第三側面１６３から出射された波長約６３０〜６７０ｎｍのＰ波は、第一ＰＢＳ６０の第二側面６２から第一ＰＢＳ６０内に入射され、第一ＰＢＳ６０の第二側面６２と平行な第三側面６３から出射される。このときのＤＶＤ用レーザ光は、Ｐ波とされているので、Ｐ波は、第一ＰＢＳ６０内の傾斜境界面部６０Ｌを通過し、第一ＰＢＳ６０内を直進して通り抜ける。その後、Ｐ波は、アナモレンズ２５０を透過して、ＰＤＩＣ２６０に照射される。第二ＬＤ１２０から出力された大半のＤＶＤ用レーザ光は、このようにしてＰＤＩＣ２６０に入射される。
【０１０９】
光ピックアップ装置１は、偏光特性が利用され、光の透過特性と、光の反射特性とが応用された偏光光学系のものとされている。
【０１１０】
上記第一のＬＤＤ１０、上記第一のＬＤ２０を備える上記ＬＤホルダ３０、上記第一のＤＯＥ４０、上記第一のダイバージェントレンズ５０、上記第一のＰＢＳ６０、上記第二のＬＤＤ１１０、上記第二のＬＤ１２０を備える上記ＬＤホルダ１３０、上記第二のダイバージェントレンズ１４０、上記第二のＤＯＥ１５０、上記第二のＰＢＳ１６０、上記ＣＬ２１０、上記ＱＷＰ２２０、上記ＯＢＬ２３０、上記ＦＭＤ２４０、上記アナモレンズ２５０、上記ＰＤＩＣ２６０、上記ＲＭ３００は、不図示のハウジングに装備される。ＱＷＰ２２０、ＯＢＬ２３０、ＦＭＤ２４０に対し、ＲＭ３００は、傾けられた状態で前記ハウジング内に固定される。
【０１１１】
前記第一のＬＤ２０、前記第一のＤＯＥ４０、前記第一のダイバージェントレンズ５０、前記第一のＰＢＳ６０、前記第二のＬＤ１２０、前記第二のダイバージェントレンズ１４０、前記第二のＤＯＥ１５０、前記第二のＰＢＳ１６０、前記ＣＬ２１０、前記ＱＷＰ２２０、前記ＯＢＬ２３０、前記ＦＭＤ２４０、前記アナモレンズ２５０、前記ＰＤＩＣ２６０、前記ＲＭ３００は、光ピックアップ装置１を構成する光学系部品とされている。
【０１１２】
また、前記第一のＬＤＤ１０、前記第一のＬＤ２０、前記第二のＬＤＤ１１０、前記第二のＬＤ１２０、前記ＦＭＤ２４０、前記ＰＤＩＣ２６０は、フレキシブルプリント回路体（ＦＰＣ）などのフレキシブル基板５に通電可能に接続されている。フレキシブル基板５も上記ハウジングに装備される。ＦＰＣ５は、複数の回路導体５ｐが絶縁シート５ｑに印刷されて、例えば銅箔などの金属箔５ｐが絶縁シート５ｑに並設され、その上に透明もしくは半透明の不図示の保護層が設けられて構成される。
【０１１３】
ＬＤＤ１０，１１０、ＬＤ２０，１２０、ＦＭＤ２４０、ＰＤＩＣ２６０などの各種電気／電子部品は、半田付けが行われることで、フレキシブル基板５に通電可能に接続される。
【０１１４】
光ピックアップ装置１は、上述した各種のものを備えて構成される。光ピックアップ装置１は、図示されたもの以外に、他のもの（図示せず）も備えるが、図１においては、それらの他のものは、便宜上、省略した。
【０１１５】
図１の如く、この光ピックアップ装置１は、波長が約７７０〜８０５ｎｍの赤外レーザ光を出射するＣＤ用のＬＤ２０と、波長が約６３０〜６７０ｎｍの赤色レーザ光を出射するＤＶＤ用のＬＤ１２０と、ＬＤ２０またはＬＤ１２０から出射されるレーザ光の状態を監視してＬＤ２０またはＬＤ１２０の制御にフィードバックをかけるためのＦＭＤ２４０
と、ＬＤ２０またはＬＤ１２０から出射されるレーザ光をＯＢＬ２３０に向けて反射させると共に、ＬＤ２０またはＬＤ１２０から出射されるレーザ光の一部を透過させＦＭＤ２４０に照射させるＲＭ３００とを備えるものとして構成されている。
【０１１６】
前記ＣＤ用のＬＤ２０に代えて、例えば波長が約３９０〜４２０ｎｍの青紫色のレーザ光を出射するＬＤ（２０）が用いられたものも使用可能とされる。また、例えば前記ＤＶＤ用のＬＤ１２０に代えて、波長が約３９０〜４２０ｎｍの青紫色のレーザ光を出射するＬＤ（１２０）が用いられたものも使用可能とされる。青紫色のレーザ光は、Blu-ray Disc系のメディアに対して用いられる。例えば光ピックアップ装置は、ＣＤ系のメディア、ＤＶＤ系のメディア、Blu-ray Disc系のメディアから選ばれるメディアのうち、少なくとも一種以上のメディアに対応可能なものとされる。
【０１１７】
ＲＭ３００のミラー内部３０４にレーザ光の内部反射が生じることにより、ＦＭＤ２４０等に光の多重干渉縞が生じることを防ぐ粗面部３０３（図１〜図３）が、ＲＭ３００の表面３０２に設けられている。詳しく説明すると、ミラー内部３０４においてレーザ光の内部反射が生じることにより、ＦＭＤ２４０に光の多重干渉縞が生じることを防ぐ微細な凹凸部３０３（図２）が、ＲＭ３００の表面３０２に設けられている。図１〜図３に示すＲＭ３００の粗面部３０３は、この明細書において分かり易いものとされるために、便宜上、表現されたものである。実際には、ＲＭ３００の表面３０２に、非常に微細な凹凸部３０３が形成される。
【０１１８】
図３を用いて説明すると、ＲＭ３００のミラー内部３０４において光が反射されることなく光を通過させる凹凸面が、ＲＭ３００の片側の表面３０２に設けられている。ＲＭ３００の片側の表面３０２は、ミラー内部３０４の光が散乱される粗さとされている。光の多重干渉とは、光の波同士が重ねられて強め合ったり弱め合ったりする現象を意味する。
【０１１９】
ＲＭ３００は、レーザ光の一部が入射される第一表面３０１と、第一表面３０１と平行に形成され且つ第一表面３０１からミラー内部３０４を通り抜けて一部のレーザ光が出射される第二表面３０２と、第二表面３０２に設けられ且つミラー内部３０４における光の干渉の発生を防ぐ微細な凹凸状の粗面部３０３とを備えるガラス製の板状体として形成されている。
【０１２０】
微細な凹凸状の粗面部３０３がＲＭ３００の表面３０２に設けられていれば、ＲＭ３００（図１〜図３）のミラー内部３０４にレーザ光の内部反射が生じて光の干渉が発生し、これに伴ってＦＭＤ２４０（図１）が誤動作し、結果として光ピックアップ装置１が誤動作するということは、回避され易くなる。
【０１２１】
実線で示すＣＬ７１０（図５）と、ＱＷＰ７２０とが移動され、ＣＬ７１０と、ＱＷＰ７２０とが、仮想線で示すＣＬ７１０Ｘと、ＱＷＰ７２０Ｘとして、第二のＢＳ６６０と、ＲＭ８００との間に配置される光学レイアウトの光ピックアップ装置（５０１）においては、ＲＭ８００（図６）内にレーザ光の内部反射が生じ、ＦＭＤ７４０に光の多重干渉縞が生じて、光ピックアップ装置（５０１）（図５）が誤動作する。
【０１２２】
しかしながら、このような光学レイアウトのものとされていても、図１の光ピックアップ装置１の如く、ミラー内部３０４にレーザ光の内部反射が生じることを防ぐ微細な凹凸部３０３が、ＲＭ３００の裏側面３０２に設けられていれば、ＦＭＤ２４０に光の多重干渉縞が生じて光ピックアップ装置１が誤動作するということは、回避され易くなる。
【０１２３】
例えばＣＤ−Ｒなどの各種メディア９００に対し、光ピックアップ装置（５０１）が用いられて情報などのデータが記録されるときに、ＲＭ８００に平行光のレーザ光が入射さ
れる。このとき、ＲＭ８００（図６）内においてレーザ光の内部干渉が生じた場合、ＦＭＤ７４０（図５）に入光するレーザ光は変動する。このようなことが生じた場合、ＬＤ５２０またはＬＤ６２０から出射されるレーザ光の強度が不安定となり、ＬＤ５２０またはＬＤ６２０から定められたパワーのレーザ光が出射されず、低品質のデータ記録がＣＤ−Ｒなどのメディア９００に行われることが懸念されていた。例えば、周囲の温度変化に伴って、ＬＤ５２０またはＬＤ６２０から出射されるレーザ波長に１ｎｍの変化が生じただけで、ＦＭＤ７４０に生じる光の干渉縞模様が変化し、ＦＭＤ７４０の動作は、不安定となる。
【０１２４】
しかしながら、ＲＭ３００（図１〜図３）のミラー内部３０４に光の内部反射が生じることで、ＦＭＤ２４０が誤動作することを防ぐ微細な凹凸状の粗面部３０３が、ＲＭ３００の表面３０２に設けられていれば、ＲＭ３００を透過したレーザ光の一部は、安定した状態でＦＭＤ２４０（図１）に当てられる。ＲＭ３００のミラー内部３０４に光の内部反射が生じることにより、ＦＭＤ２４０等にレーザ光の多重干渉縞が生じることを防ぐ微細な凹凸状の粗面部３０３が、ＲＭ３００の表面３０２に設けられているので、ＲＭ３００を透過したレーザ光の一部は、安定した状態でＦＭＤ２４０に当てられることとなる。
【０１２５】
これにより、ＬＤ２０またはＬＤ１２０から出射されるレーザ光の強度が安定し、ＬＤ２０またはＬＤ１２０から定められたパワーのレーザ光が出射され、高品質のデータ記録がＣＤ−Ｒなどのメディア４００に行われる。従って、記録不良などの不具合が生じることなく、ＣＤ−Ｒなどの各種メディア４００に高品質な記録が実行可能とされた光ピックアップ装置１を、光ディスク装置（図示せず）の組立メーカや、光ピックアップ装置１の組立メーカや、光ピックアップ装置１の使用者等に提供することができる。
【０１２６】
光ピックアップ装置１（図１）に装備されたＲＭ３００は、図１〜図３の如く、略板状に形成されている。また、ＲＭ３００に形成された微細な凹凸状の粗面部３０３は、ＦＭＤ２４０側とされるＲＭ３００の裏側面３０２にのみ設けられている。ＲＭ３００の表側面３０１は、光沢のある滑らかな表面３０１として形成されている。
【０１２７】
ＦＭＤ２４０側とされるＲＭ３００の裏側面３０２にのみ、微細な凹凸状の粗面部３０３（図３）が設けられていれば、ＲＭ３００のミラー内部３０４にレーザ光の内部反射が生じることで光の干渉現象が発生するということは、回避される。ＲＭ３００のミラー内部３０４にレーザ光の内部反射が生じることにより、ＦＭＤ２４０等にレーザ光の干渉現象が生じるということは回避され、ＬＤ２０またはＬＤ１２０から出射されたレーザ光の一部は、ＲＭ３００のミラー内部３０４を透過して確実にＦＭＤ２４０に当てられる。従って、ＦＭＤ２４０に当てられる一部のレーザ光が不安定な状態となり、これに伴ってＬＤ２０またはＬＤ１２０から出射されるレーザ光のパワーが変動し、光ピックアップ装置１に誤動作が生じるということを、回避させ易くすることができる。
【０１２８】
ＯＢＬ２３０（図１）からディスク４００にレーザ光が照射されるときに、ディスク４００のデータ記録部４５０にできるレーザ光のスポットＳＰは、重要なものとされる。スポットとは、一点が明るく照らされた状態のものを意味する。ＬＤ２０またはＬＤ１２０から出射されたレーザ光がＯＢＬ２３０において集光されて、ディスク４００にデータの記録が行われたり、ディスク４００に記録されたデータが再生されたりする。そのときに、ディスク４００に形成された微小なピット（穴、凹み）や、グルーブ（溝）や、ウォブル（蛇行）などに、最適な大きさ／強さのレーザ光のスポットＳＰが当てられる。このように、ＯＢＬ２３０からディスク４００に照射されて形成されるレーザ光のスポットＳＰは、最適なスポットＳＰとして実現されることが重要なこととされる。
【０１２９】
高性能な光ピックアップ装置１が実現されるためには、ＯＢＬ２３０からディスク４０
０に照射されて形成されるレーザ光のスポットＳＰが高精度なものとされて、最適なスポットＳＰとされることが必要不可欠なこととされる。また、そのような高性能な光ピックアップ装置１が実現されるためには、ＬＤ２０またはＬＤ１２０から出射されるレーザ光を安定したものにさせる必要がある。このようなことから、ＲＭ３００の表側面３０１は、光沢のある滑らかな表面３０１として形成させて、ディスク４００のデータ記録部４５０に高精度なスポットＳＰを形成させる必要性が生じる。
【０１３０】
これに対し、ＦＭＤ２４０に当てられる一部のレーザ光は、若干、ぼやけたものとされていても、ＦＭＤ２４０は、正常に機能する。ＦＭＤ２４０に当てられる一部のレーザ光が、若干、ぼやけたものとされていても、ＲＭ３００内にレーザ光の内部反射が発生せずＦＭＤ２４０に光の多重干渉縞が生じなければ、ＦＭＤ２４０が誤作動を起こすということは回避され、ＦＭＤ２４０は、正常に作動する。従って、ＲＭ３００の裏側面３０２に、微細な凹凸状の粗面部３０３が設けられていても、光ピックアップ装置１は、正常に機能する。
【０１３１】
図２の如く、ＲＭ３００のＦＭＤ２４０側の表面３０２に設けられた微細な凹凸状の粗面部３０３は、不規則に荒らされた多数の微細な凹凸面として形成されている。図２の丸枠で示された部分拡大図の如く、ＲＭ３００のＦＭＤ２４０側の表面３０２に設けられた粗面部３０３は、略梨子地状に形成されている。梨子地とは、梨の果実の肌に似た模様のものとされる。
【０１３２】
ＲＭ３００のＦＭＤ２４０側の表面３０２が、不規則に荒らされた略梨子地状の粗面部３０３として形成されていれば、ＲＭ３００に入射されたレーザ光がＲＭ３００のミラー内部３０４において多重干渉されるということは、発生され難くなる。ＲＭ３００のＦＭＤ２４０側の表面３０２に設けられた粗面部３０３は、不規則に荒らされた多数の微細な凹凸面として形成され、略梨子地状の面として形成されているので、ＲＭ３００のミラー内部３０４において、光の多重干渉が生じるということは回避される。
【０１３３】
ＲＭ３００の裏側面３０２に設けられた粗面部３０３は、不規則に荒らされた多数の微細な凹凸面として形成され、略梨子地状の面として形成されているので、ＲＭ３００のミラー内部３０４にレーザ光の内部反射が生じることで光の干渉現象が発生するということは、回避される。ＲＭ３００の第一表面３０１からＲＭ３００のミラー内部３０４に入射されたレーザ光に光の内部反射が生じ、ＦＭＤ２４０等に光の多重干渉縞が生じるということは防止され、レーザ光の一部は、ＲＭ３００の第二表面３０２からＲＭ３００の外側に向けて正常に出射される。従って、不図示の光ディスク装置の組立メーカや、光ピックアップ装置１の組立メーカや、光ピックアップ装置１の使用者等に、記録不良などの不具合が生じることのない光ピックアップ装置１を提供することができる。
【０１３４】
図１の如く、ＬＤ２０もしくはＬＤ１２０と、ＲＭ３００との間の光路に、ＬＤ２０，１２０側から入射された拡散光のレーザ光を、平行光のレーザ光としてＲＭ３００側に出射させるＣＬ２１０が位置する。また、ＬＤ２０もしくはＬＤ１２０と、ＲＭ３００との間の光路に、ＣＬ２１０を透過した直線偏光を円偏光に変えたり、ＲＭ３００から反射された円偏光を直線偏光に変えたりするＱＷＰ２２０が位置する。ＱＷＰ２２０は、ＣＬ２１０と、ＲＭ３００との間の光路に設置されている。
【０１３５】
このように光ピックアップ装置１が構成されていれば、記録不良などの不具合が発生することのない薄型化された光ピックアップ装置１を、市場に提供することができる。ＬＤ２０，１２０側から入射されたレーザ光を平行光としてＲＭ３００側に出射させるＣＬ２１０が、ＬＤ２０もしくはＬＤ１２０と、ＲＭ３００との間の光路に位置するものとされているので、光ピックアップ装置１の厚さを、従来の光ピックアップ装置５０１（図５）
の厚さよりも薄くさせることが可能となる。また、ＣＬ２１０（図１）を透過した直線偏光を円偏光に変えたり、ＲＭ３００から反射された円偏光を直線偏光に変えたりするＱＷＰ２２０が、ＬＤ２０もしくはＬＤ１２０と、ＲＭ３００との間の光路に位置するものとされているので、光ピックアップ装置１の厚さを、従来の光ピックアップ装置５０１（図５）の厚さよりも薄くすることができる。従って、ＣＤ−Ｒなどのメディア４００（図１）に高品質な記録を行うことが可能とされた薄型の光ピックアップ装置１を、光ディスク装置（図示せず）の組立メーカや、光ピックアップ装置１の組立メーカや、光ピックアップ装置１の使用者等に提供することができる。
【０１３６】
図１に示す光ピックアップ装置１は、ＣＬ２１０と、ＲＭ３００との間の光路に、ＱＷＰ２２０が位置するものとされているが、光ピックアップ装置（１）の設計仕様などにより、例えば、ＯＢＬ（２３０）と、ＲＭ（３００）との間の光路に、ＱＷＰ（２２０）が位置するものも使用可能とされる（図示せず）。
【０１３７】
次に、上記光ピックアップ装置１における上記ＲＭ３００の製造方法について説明する。
【０１３８】
ＲＭ３００（図１〜図３）の第二表面３０２のみを磨ったり、第二表面３０２に、金剛砂を吹き付けたり、化学処理により腐食させたりさせて、ＲＭ３００の第二表面３０２に微細な凹凸部３０３を形成させる。ＲＭ３００に、このような表面処理工程を行う。
【０１３９】
具体的に説明すると、ＲＭ３００の裏側面３０２を荒らす方法として、例えば目の細かい紙やすりを用いてＲＭ３００の表面３０２を荒らす方法が挙げられる。また、ショットブラストが行われることにより、ＲＭ３００の表面３０２が荒らされたものも使用可能とされる。ショットブラストとは、圧縮空気を用いて例えば金剛砂などの微細な粒子を表面に吹き付ける表面処理方法を意味する。また、例えば特殊な薬液が用いられてＲＭ３００の表面３０２に化学処理が行われ、これにより表面処理が行われて、ＲＭ３００の表面３０２を粗くさせることも可能とされる。
【０１４０】
このようにして、ミラー内部３０４において光を反射させず且つ光を通過させることが可能とされた面を、ＲＭ３００の裏側面３０２にのみ形成させる。ＲＭ３００の第二表面３０２のみを荒らして、ＲＭ３００の裏側面３０２だけを「曇りガラス」の状態とさせる。すなわち、ＲＭ３００の裏側面３０２をいわゆる「すりガラス」の表面状態とさせる。すりガラスとは、不透明とされたガラスを意味する。すりガラスは、曇りガラス、つや消しガラス、消しガラスなどと呼ばれる。このようにすることで、ＦＭＤ２４０に入射される光を散乱させて光の干渉発生を抑制させる。これにより、ＦＭＤ２４０から出力される電流値を安定化させる。
【実施例２】
【０１４１】
図４は、本発明に係る光ピックアップ装置の第二の実施形態におけるレフレクトミラーを示す説明図である。
【０１４２】
図１〜図３に示すレフレクトミラー３００に代えて、図４に示すレフレクトミラー３２０が用いられて、第二の実施形態の光ピックアップ装置が構成された。図４に示すＲＭ３２０の粗面部３２３は、この明細書において分かり易いものとされるために、便宜上、表現されたものである。実際には、ＲＭ３２０の表面３２２に、非常に微細な凹凸部３２３が形成される。
【０１４３】
ＲＭ３２０は、レーザ光の一部が入射される第一表面３２１と、第一表面３２１と平行に形成され且つ第一表面３２１からミラー内部３２４を通り抜けて一部のレーザ光が出射
される第二表面３２２と、第二表面３２２に設けられ且つミラー内部３２４におけるレーザ光の内部反射ならびに光の干渉の発生を防ぐ微細な略格子状の粗面部３２３とを備えるガラス製の板状体として形成されている。
【０１４４】
図４の丸枠で示された部分拡大図の如く、ＲＭ３２０の裏側面３２２に設けられた粗面部３２３は、不均一な略格子縞状に形成されている。格子縞とは、縦縞と横縞とが組み合わせられた模様を意味する。ＲＭ３２０の表側面３２１は、光沢のある滑らかな表面３２１として形成されている。
【０１４５】
第二の実施形態における光ピックアップ装置のＲＭ３２０の製造方法については、上記光ピックアップ装置１における上記ＲＭ３００の製造方法と同様なことから、ここでは、その詳細な説明を省略する。
【０１４６】
上記光ピックアップ装置１（図１）を備える不図示の光ディスク装置は、例えば、ノート型パーソナルコンピュータ（ＰＣ：Personal Computer ）や、ラップトップ型ＰＣや、デスクトップ型ＰＣなどのコンピュータや、ＣＤプレーヤなどの音響機器や、ＤＶＤプレーヤなどの音響／映像機器などに装備可能とされる（何れも図示せず）。
【０１４７】
デスクトップコンピュータは、卓上型のコンピュータとされ、机の上で使用可能なコンピュータとされているが、容易に持運びができないタイプのものである。デスクトップ型のＰＣに対し、ノート型もしくはラップトップ型のＰＣは、軽量化、軽薄化が要求されることから、スリム型ドライブが装備されたディスク装置を備える構造のものである。ノート型もしくはラップトップ型のＰＣは、デスクトップ型のＰＣと異なる構造のものである。ノート型もしくはラップトップ型のＰＣは、ディスプレイと、ＰＣ本体とが、一体構造のものとされ、ＰＣ本体に対し、ディスプレイが折りたたまれることで、薄型サイズのものとなる。ノート型のＰＣは、このものが平面視されたときに略Ａ４判もしくはこれ以下の大きさの汎用ＰＣとされ、ブック型ＰＣとも呼ばれている。ノート型もしくはラップトップ型のＰＣは、コンパクトなものとされて容易に持運びができるということが重要である。
【０１４８】
上記光ピックアップ装置１を備える不図示の光ディスク装置は、ノート型ＰＣもしくはラップトップ型ＰＣ等の持運びが容易な薄型コンピュータの光ディスク装置に装備可能とされている。具体的に説明すると、上記光ピックアップ装置１は、ノート型ＰＣの光ディスク装置に装備される。
【０１４９】
これにより、光ディスク装置におけるデータ記録不良などが発生され難い薄型のノート型ＰＣが構成される。従って、光ディスク装置にてデータ記録が良好に実行可能とされると共に薄型化されたノート型ＰＣを、例えば、ノート型ＰＣの製造メーカからノート型ＰＣの使用者等に提供させることができる。
【０１５０】
本発明の光ピックアップ装置は、図示されたものに限定されるものではない。例えば、ＯＢＬ（２３０）と、ＲＭ（３００）との間の光路に、ＱＷＰ（２２０）が位置するものも使用可能とされる（図示せず）。また、図１に示す光ピックアップ装置（１）に、例えば、「ＨＤ−ＤＶＤ」系の光路（図示せず）や、「Blu ray Disc」系の光路（図示せず）などの他の光路が追加されたものも使用可能とされる。本発明のものは、その要旨を逸脱しない範囲において、種々変更可能とされる。
【符号の説明】
【０１５１】
１                光ピックアップ装置
５                ＦＰＣ（フレキシブル基板）
５ｐ              金属箔（回路導体）
５ｑ              絶縁シート
１０，１１０      ＬＤＤ（レーザドライバ）
２０，１２０      ＬＤ（発光素子）
３０，１３０      ＬＤホルダ（レーザホルダ）
４０，１５０      ＤＯＥ（１／２波長板＋回折格子）
５０，１４０      ダイバージェントレンズ
６０，１６０      ＰＢＳ（偏光ビームスプリッタ）
６０Ａ，１６０Ａ  第一部材
６０Ｂ，１６０Ｂ  第二部材
６０Ｆ，１６０Ｆ，３００Ｆ  膜
６０Ｌ，１６０Ｌ  傾斜境界面部（境界面部）
６１，１６１      第一側面（表面）
６２，１６２      第二側面（表面）
６３，１６３      第三側面（表面）
６４，１６４      第四側面（表面）
２１０            ＣＬ（コリメータレンズ）
２２０            ＱＷＰ（１／４波長板）
２３０            ＯＢＬ（対物レンズ）
２４０            ＦＭＤ（受光素子）
２５０            アナモレンズ（アナモフィックレンズ）
２６０            ＰＤＩＣ（フォトダイオードＩＣ）
３００，３２０    ＲＭ（レフレクトミラー）
３０１，３２１    表側面（表面）
３０２，３２２    裏側面（表面）
３０３，３２３    凹凸部（粗面部）
３０４，３２４    ミラー内部（内部）
４００            ディスク（メディア）
４５０            データ記録部（記録部）
ＳＰ              スポット
【図１】
2010262737.tif 000003
【図２】
2010262737.tif 000004
【図３】
2010262737.tif 000005
【図４】
2010262737.tif 000006
【図５】
2010262737.tif 000007
【図６】
2010262737.tif 000008
【手続補正書】
【提出日】平成22年9月24日(2010.9.24)
【手続補正２】
【補正対象書類名】明細書
【補正対象項目名】０００１
【補正方法】変更
【補正の内容】
【０００１】
本発明は、例えば、ＣＤ−Ｒ（Compact Disc - Recordable ）などのメディアに高品質な記録を実行可能とさせた光ピックアップ装置および光ピックアップ装置用レフレクトミラーの製造方法に関するものである。
【手続補正３】
【補正対象書類名】明細書
【補正対象項目名】００３６
【補正方法】変更
【補正の内容】
【００３６】
本発明は、上記した点に鑑み、レフレクトミラー内に光の内部反射が生じて光の干渉が発生し、ＣＤ−Ｒなどのメディアに対し記録不良などの不具合が生じることなく、メディアに高品質な記録が実行可能とされた光ピックアップ装置および光ピックアップ装置用レフレクトミラーの製造方法を提供することを目的とする。
【手続補正４】
【補正対象書類名】明細書
【補正対象項目名】００３７
【補正方法】変更
【補正の内容】
【００３７】
上記目的を達成するために、本発明の請求項１に係る光ピックアップ装置は、波長が３９０〜４２０ｎｍおよび／または波長が６３０〜６７０ｎｍのレーザ光を出射する発光素子と、該発光素子から出射される該レーザ光の状態を監視して該発光素子の制御にフィー
ドバックをかけるための受光素子と、該発光素子から出射される該レーザ光の一部を該受光素子に照射させるレフレクトミラーと、を備える光ピックアップ装置であって、前記レフレクトミラー内に光の内部反射が生じることで、前記受光素子が誤動作することを防ぐ粗面部が、該レフレクトミラーの表面に設けられたことを特徴とする。
【手続補正５】
【補正対象書類名】明細書
【補正対象項目名】００４４
【補正方法】変更
【補正の内容】
【００４４】
上記構成により、記録不良などの不具合が発生することのない薄型化された光ピックアップ装置が提供可能となる。発光素子側から入射されたレーザ光を平行光としてレフレクトミラー側に出射させるコリメータレンズが、発光素子と、レフレクトミラーとの間の光路に位置するものとされているので、光ピックアップ装置の厚さを薄くすることが可能となる。従って、ＣＤ−Ｒなどのメディアに高品質な記録を行うことができる薄型の光ピックアップ装置の提供が可能となる。
請求項５に係る光ピックアップ装置は、請求項１〜４の何れか１項に記載の光ピックアップ装置において、前記発光素子側から入射された前記レーザ光を平行光として前記レフレクトミラー側に出射させるコリメータレンズと、直線偏光を円偏光に変え該円偏光を該直線偏光に変える１／４波長板と、を備え、該コリメータレンズと、該レフレクトミラーとの間の光路に、該１／４波長板が設置されたことを特徴とする。
請求項６に係る光ピックアップ装置は、請求項１〜５の何れか１項に記載の光ピックアップ装置において、ＤＶＤ（登録商標）（Digital Versatile Disc）系のメディア、Blu-ray Disc（登録商標）系のメディアのうち、少なくとも一種以上のメディアに対応可能とされたことを特徴とする。
【手続補正６】
【補正対象書類名】明細書
【補正対象項目名】００４５
【補正方法】変更
【補正の内容】
【００４５】
請求項７に係る光ピックアップ装置は、請求項１〜６の何れか１項に記載の光ピックアップ装置において、持運びが容易なコンピュータの光ディスク装置に装備可能とされたことを特徴とする。
請求項８に係る光ピックアップ装置は、請求項１〜７の何れか１項に記載の光ピックアップ装置において、ノート型パーソナルコンピュータの光ディスク装置に装備可能とされたことを特徴とする。
【手続補正７】
【補正対象書類名】明細書
【補正対象項目名】００４６
【補正方法】変更
【補正の内容】
【００４６】
上記構成により、光ディスク装置における記録不良などが発生され難い薄型のコンピュータが構成される。従って、光ディスク装置にて記録が良好に実行可能とされると共に薄型化されたコンピュータの提供が可能となる。
請求項９に係る光ピックアップ装置用レフレクトミラーの製造方法は、レーザ光を出射する発光素子と、該発光素子から出射される該レーザ光の状態を監視して該発光素子の制御にフィードバックをかけるための受光素子と、該発光素子から出射される該レーザ光の一部を該受光素子に照射させるレフレクトミラーと、を備える光ピックアップ装置用レフ
レクトミラーの製造方法において、前記レフレクトミラー内に光の内部反射が生じることで前記受光素子が誤動作することを防ぐ粗面部をショットブラストを行って該レフレクトミラーの表面に設けることを特徴とする。
請求項１０に係る光ピックアップ装置用レフレクトミラーの製造方法は、請求項９記載の光ピックアップ装置用レフレクトミラーの製造方法において、前記粗面部を不規則に荒らされた面として形成させることを特徴とする。
請求項１１に係る光ピックアップ装置用レフレクトミラーの製造方法は、請求項９又は１０記載の光ピックアップ装置用レフレクトミラーの製造方法において、前記レフレクトミラーの前記表面に金剛砂を吹き付けて前記粗面部を設けることを特徴とする。
【手続補正８】
【補正対象書類名】明細書
【補正対象項目名】００４７
【補正方法】変更
【補正の内容】
【００４７】
以上の如く、本発明によれば、レフレクトミラー内に光の内部反射が生じて光の干渉が発生し、これに伴って受光素子が誤動作し、結果として光ピックアップ装置が誤動作するということを、回避させ易くすることができる。例えばＣＤ−Ｒなどのメディアに対し、光ピックアップ装置が用いられて情報などのデータが記録されるときに、レフレクトミラーにレーザ光が入射される。このとき、レフレクトミラー内において光の内部干渉が生じた場合、受光素子に入光するレーザ光は変動する。このようなことが生じた場合、発光素子から定められたパワーのレーザ光が出射されず、低品質のデータ記録がメディアに行われることが懸念されていた。しかしながら、レフレクトミラー内に光の内部反射が生じることで、受光素子が誤動作することを防ぐ粗面部が、レフレクトミラーの表面に設けられていれば、レフレクトミラーを透過したレーザ光の一部は、安定した状態で受光素子に当てられる。従って、記録不良などの不具合が生じることなくＣＤ−Ｒなどのメディアに高品質な記録が実行可能とされた光ピックアップ装置を提供することができる。
【手続補正９】
【補正対象書類名】明細書
【補正対象項目名】００５１
【補正方法】変更
【補正の内容】
【００５１】
また、本発明によれば、光ディスク装置における記録不良などが発生され難い薄型のコンピュータを構成させることができる。従って、光ディスク装置にて記録が良好に実行可能とされると共に薄型化されたコンピュータを提供させることができる。
【手続補正１０】
【補正対象書類名】特許請求の範囲
【補正対象項目名】全文
【補正方法】変更
【補正の内容】
【特許請求の範囲】
【請求項１】
波長が３９０〜４２０ｎｍおよび／または波長が６３０〜６７０ｎｍのレーザ光を出射する発光素子と、
該発光素子から出射される該レーザ光の状態を監視して該発光素子の制御にフィードバックをかけるための受光素子と、
該発光素子から出射される該レーザ光の一部を該受光素子に照射させるレフレクトミラーと、
を備える光ピックアップ装置であって、
前記レフレクトミラー内に光の内部反射が生じることで、前記受光素子が誤動作することを防ぐ粗面部が、該レフレクトミラーの表面に設けられたことを特徴とする光ピックアップ装置。
【請求項２】
前記レフレクトミラーは、略板状に形成され、
該レフレクトミラーの前記粗面部は、前記受光素子側に設けられたことを特徴とする請求項１記載の光ピックアップ装置。
【請求項３】
前記粗面部は、不規則に荒らされた面として形成されたことを特徴とする請求項１又は２記載の光ピックアップ装置。
【請求項４】
前記発光素子と、
前記レフレクトミラーとの間の光路に、
該発光素子側から入射された前記レーザ光を平行光として該レフレクトミラー側に出射させるコリメータレンズが位置することを特徴とする請求項１〜３の何れか１項に記載の光ピックアップ装置。
【請求項５】
前記発光素子側から入射された前記レーザ光を平行光として前記レフレクトミラー側に出射させるコリメータレンズと、
直線偏光を円偏光に変え該円偏光を該直線偏光に変える１／４波長板と、
を備え、
該コリメータレンズと、該レフレクトミラーとの間の光路に、該１／４波長板が設置されたことを特徴とする請求項１〜４の何れか１項に記載の光ピックアップ装置。
【請求項６】
ＤＶＤ（登録商標）（Digital Versatile Disc）系のメディア、Blu-ray Disc（登録商標）系のメディアのうち、少なくとも一種以上のメディアに対応可能とされたことを特徴とする請求項１〜５の何れか１項に記載の光ピックアップ装置。
【請求項７】
持運びが容易なコンピュータの光ディスク装置に装備可能とされたことを特徴とする請求項１〜６の何れか１項に記載の光ピックアップ装置。
【請求項８】
ノート型パーソナルコンピュータの光ディスク装置に装備可能とされたことを特徴とする請求項１〜７の何れか１項に記載の光ピックアップ装置。
【請求項９】
レーザ光を出射する発光素子と、
該発光素子から出射される該レーザ光の状態を監視して該発光素子の制御にフィードバックをかけるための受光素子と、
該発光素子から出射される該レーザ光の一部を該受光素子に照射させるレフレクトミラーと、
を備える光ピックアップ装置用レフレクトミラーの製造方法において、
前記レフレクトミラー内に光の内部反射が生じることで前記受光素子が誤動作することを防ぐ粗面部をショットブラストを行って該レフレクトミラーの表面に設けることを特徴とする光ピックアップ装置用レフレクトミラーの製造方法。
【請求項１０】
前記粗面部を不規則に荒らされた面として形成させることを特徴とする請求項９記載の光ピックアップ装置用レフレクトミラーの製造方法。
【請求項１１】
前記レフレクトミラーの前記表面に金剛砂を吹き付けて前記粗面部を設けることを特徴とする請求項９又は１０記載の光ピックアップ装置用レフレクトミラーの製造方法。